【手続補正書】
【提出日】平成16年12月8日(2004.12.8)
【手続補正１】
【補正対象書類名】明細書
【補正対象項目名】発明の名称
【補正方法】変更
【補正の内容】
【発明の名称】画像処理装置及び画像処理方法
【手続補正２】
【補正対象書類名】明細書
【補正対象項目名】特許請求の範囲
【補正方法】変更
【補正の内容】
【特許請求の範囲】
【請求項１】
被写体を撮像して画像信号を得る撮像手段と、
前記撮像手段により得られた画像信号を圧縮符号化する圧縮手段と、
前記撮像手段により得られた画像信号の輝度特徴に基づき、前記圧縮手段による前記画像信号の符号量の割り当て方法を切り替える制御手段とを備えることを特徴とする画像処理装置。
【請求項２】
前記制御手段は、前記輝度特徴を示す輝度特徴値と所定値との比較結果に基づいて前記符号量の割り当て方法を切り替えることを特徴とする請求項１記載の画像処理装置。
【請求項３】
前記制御手段は、前記画像信号の輝度レベルに対する相対的な前記符号量の割り当て方法を切り替えることを特徴とする請求項１又は２記載の画像処理装置。
【請求項４】
前記圧縮手段は前記画像信号を量子化する量子化手段を有し、前記制御手段は前記量子化手段による量子化ステップを変更することにより前記符号量割り当て方法を切り替えることを特徴とする請求項１〜３の何れか１項に記載の画像処理装置。
【請求項５】
前記圧縮手段により圧縮符号化された画像信号を記録媒体に記録する記録手段を備えたことを特徴とする請求項１〜４の何れか１項に記載の画像処理装置。
【請求項６】
被写体を撮像して画像信号を得る撮像手段と、
前記撮像手段により得られた画像信号に対してフィルタ処理を施すプレフィルタと、前記プレフィルタより出力された画像信号を圧縮符号化する符号化回路とを有する圧縮手段と、
前記撮像手段により得られた画像信号の輝度特徴に基づき、前記圧縮手段による前記プレフィルタのフィルタ特性を切り替える制御手段とを備えることを特徴とする画像処理装置。
【請求項７】
前記輝度特徴は、前記画像信号の色温度、及び、前記画像信号の撮影時におけるゲイン制御量のうちの少なくとも一つを含むことを特徴とする請求項１〜６の何れか１項に記載の画像処理装置。
【請求項８】
被写体を撮像して画像信号を得る撮像手段と、
前記撮像手段により得られた画像信号を圧縮符号化する圧縮手段と、
ユーザからの指示に基づき、前記圧縮手段による前記画像信号の輝度レベルに対する相対的な前記符号量の割り当て方法を切り替える制御手段とを備えることを特徴とする画像処理装置。
【請求項９】
被写体を撮像して得られた画像信号を処理する方法であって、
前記画像信号を圧縮符号化する圧縮ステップと、
前記画像信号の輝度特徴を判定する輝度特徴判定ステップと、
前記輝度特徴判定ステップの判定結果に基づき、前記圧縮ステップによる前記画像信号の符号量の割り当て方法を切り替える制御ステップとを有することを特徴とする画像処理方法。
【請求項１０】
前記制御ステップは、前記画像信号の輝度レベルに対する相対的な前記符号量の割り当て方法を切り替えることを特徴とする請求項９記載の画像処理方法。
【請求項１１】
前記圧縮ステップは前記画像信号を量子化する量子化処理を含み、前記制御ステップは前記量子化処理における量子化ステップを変更することにより前記符号量割り当て方法を切り替えることを特徴とする請求項１０記載の画像処理方法。
【手続補正３】
【補正対象書類名】明細書
【補正対象項目名】０００１
【補正方法】変更
【補正の内容】
【０００１】
【発明の属する技術分野】
本発明は、例えば、被写体を撮像して得られた画像信号（映像信号）を圧縮処理して記録媒体に記録するカメラ一体型の撮像装置等に用いられる、画像処理装置及び画像処理方法に関するものである。
【手続補正４】
【補正対象書類名】明細書
【補正対象項目名】００１１
【補正方法】変更
【補正の内容】
【００１１】
そこで、本発明は、上記の欠点を除去するために成されたもので、画像圧縮による画質劣化が生じることのない、効率的な画像圧縮を行える、画像処理装置及び画像処理方法を提供することを目的とする。
【手続補正５】
【補正対象書類名】明細書
【補正対象項目名】００１２
【補正方法】変更
【補正の内容】
【００１２】
【課題を解決するための手段】
本発明の画像処理装置は、被写体を撮像して画像信号を得る撮像手段と、前記撮像手段により得られた画像信号を圧縮符号化する圧縮手段と、前記撮像手段により得られた画像信号の輝度特徴に基づき、前記圧縮手段による前記画像信号の符号量の割り当て方法を切り替える制御手段とを備えることを特徴とする。
【手続補正６】
【補正対象書類名】明細書
【補正対象項目名】００１３
【補正方法】変更
【補正の内容】
【００１３】
また、本発明の画像処理装置は、被写体を撮像して画像信号を得る撮像手段と、前記撮像手段により得られた画像信号に対してフィルタ処理を施すプレフィルタと、前記プレフィルタより出力された画像信号を圧縮符号化する符号化回路とを有する圧縮手段と、前記撮像手段により得られた画像信号の輝度特徴に基づき、前記圧縮手段による前記プレフィルタのフィルタ特性を切り替える制御手段とを備えることを特徴とする。
【手続補正７】
【補正対象書類名】明細書
【補正対象項目名】００１４
【補正方法】変更
【補正の内容】
【００１４】
また、本発明の画像処理装置は、被写体を撮像して画像信号を得る撮像手段と、前記撮像手段により得られた画像信号を圧縮符号化する圧縮手段と、ユーザからの指示に基づき、前記圧縮手段による前記画像信号の輝度レベルに対する相対的な前記符号量の割り当て方法を切り替える制御手段とを備えることを特徴とする。
【手続補正８】
【補正対象書類名】明細書
【補正対象項目名】００１５
【補正方法】変更
【補正の内容】
【００１５】
また、本発明の画像処理方法は、被写体を撮像して得られた画像信号を処理する方法であって、前記画像信号を圧縮符号化する圧縮ステップと、前記画像信号の輝度特徴を判定する輝度特徴判定ステップと、前記輝度特徴判定ステップの判定結果に基づき、前記圧縮ステップによる前記画像信号の符号量の割り当て方法を切り替える制御ステップとを有することを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】０１０３
【補正方法】変更
【補正の内容】
【０１０３】
ステップＳ１１０６：
ステップＳ１１０４の判定の結果、対象画像データのＡＧＣゲインアップ量が設定値９０２より小さい場合、圧縮伸張処理部１０３は、通常通りのフィルタ特性により画像データのフィルタ処理を実行する。